(57)【要約】【課題】乗りかごの内側から容易に取付けることができるエレベーターのかご内操作盤を提供すること。【解決手段】エレベーターのかご内の少なくとも一方の側板に配置され、エレベーター利用者に対向する意匠部を形成する箱形カバーと、側板に固定されかごの内側に開口部を持つボックスとを有するエレベーターのかご内操作盤において、ボックス５周囲に側板３の手前側に配置される前側ツバ１０ａと、側板３の厚さよりもわずかに大きい隙間を有して側板３の後側に配置される後側ツバ１０ｂを設け、ボックス５を側板３に形成する開口部に差し込み、ボックス５を回転させて前側ツバ１０ａと後側ツバ１０ｂにて側板を挟み込み固定した。【選択図】        図１
2004338859.tif 000002
【特許請求の範囲】
【請求項１】
エレベーターのかご内の少なくとも一方の側板に配置され、エレベーター利用者に対向する意匠部を形成する箱形カバーと、側板に固定されかごの内側に開口部を持つボックスとを有するエレベーターのかご内操作盤において、上記ボックス周囲に側板の手前側に配置される前側ツバと、上記側板の厚さよりもわずかに大きい隙間を有して側板の後側に配置される後側ツバを設け、上記ボックスを側板に形成する開口部に差し込み、ボックスを回転させて前側ツバと後側ツバにて側板を挟み込み固定することを特徴とするエレベーターのかご内操作盤。
【請求項２】
請求項１記載のものにおいて、前側ツバと側板と後側ツバとを、後側ツバに設けたねじ穴を用いて乗りかごの内側からねじにより固定することを特徴とするエレベーターのかご内操作盤。
【発明の詳細な説明】
【０００１】
【発明の属する技術分野】
本発明は、エレベーターのかご内操作盤に関する。
【０００２】
【従来の技術】
従来、この種の装置としては次のようなものが提案されている。すなわち、エレベーターの乗りかごには、乗り場に対応した位置に開閉可能なドアが構成され、このドアを有する側板に一般乗客用かご内操作盤が設けられている。また、ドアから乗りかご内に乗り込んだときの両側に位置する側板には、一般乗客用かご内操作盤とは別に、それより低い位置に身障者用かご内操作盤が設けられている。身障者用かご内操作盤が設けられる位置の側板には取付用開口が形成され、この取付用開口に対応するように昇降路側から側板の裏面に容器状に形成したベースプレートを配置し、このベースプレートを側板の裏面に固定した取付ブラケットへ取付けねじを用いて固定している。このベースプレートには、予め階床表示灯および行先階登録釦等が組み込まれており、このベースプレートの乗りかご内側には、上述の側板に形成した取付用開口およびベースプレートを覆うように操作カバーを配置し、この操作カバーの四隅に化粧ねじを配置し、ベースプレートの内側に形成したねじ部を有する取付部へ化粧ねじをねじ込んで操作カバーをベースプレートに取付けている。また操作カバーの表面には、ドア開閉釦が設けられた構成となっている（例えば、特許文献１参照。）。
【０００３】
【特許文献１】
特開平０９−１５１０６１号公報
（段落番号０００２−０００３、第３図−第６図）
【０００４】
【発明が解決しようとする課題】
従来のエレベーターのかご内操作盤は、上述のようにベースプレートの取付のために、側板の裏面からの昇降路内作業が必要であり、一般に昇降路内では作業スペースが狭く、作業性が悪いため、取付や取外しが困難であった。また、高福祉社会の要請にしたがって、一般者用エレベーターを身障者用エレベーター等に改修する場合があり、上述の構成によれば側板の裏面に取付ブラケットを新たに取付けねばならず、この際には長時間を要してしまう。
【０００５】
本発明の目的は、乗りかごの内側から容易に取付けることができるエレベーターのかご内操作盤を提供するにある。
【０００６】
【課題を解決するための手段】
本発明は上記目的を達成するために、エレベーターのかご内の少なくとも一方の側板に配置され、エレベーター利用者に対向する意匠部を形成する箱形カバーと、側板に固定されかごの内側に開口部を持つボックスとを有するエレベーターのかご内操作盤において、上記ボックス周囲に側板の手前側に配置される前側ツバと、上記側板の厚さよりもわずかに大きい隙間を有して側板の後側に配置される後側ツバを設け、上記ボックスを側板に形成する開口部に差し込み、ボックスを回転させて前側ツバと後側ツバにて側板を挟み込み固定することを特徴とする。
【０００７】
上記のように本発明によるエレベーターのかご内操作盤は、ボックス周囲に側板の手前側に配置される前側ツバと、前記側板の厚さよりもわずかに大きい隙間を有して側板の後側に配置される後側ツバを設け、上記ボックスを側板に形成する開口部に差し込み、ボックスを回転させて前側ツバと後側ツバにて側板を挟み込み固定するようにしたため、側板に開口を形成することを始めとして、取付作業を全て乗りかごの内側から行うことができ、昇降路内作業を不要にすることができる。
【０００８】
【発明の実施の形態】
以下、本発明のかご内操作盤の一実施形態を図１〜図４により説明する。
【０００９】
図１は本発明の一実施形態に係るかご内操作盤の正面図、図２は図１に示したかご内操作盤のボックス単体を取付けた正面図、図３は図２のＡ−Ａ線断面図、図４は本発明の一実施形態に係る乗りかごの平面図を示している。
【００１０】
エレベーターの壁面にはかご内操作盤が設けられている。乗りかごには、乗り場に対応した位置に開閉可能なドア１が構成され、このドア１を有する側板に一般乗客用かご内操作盤２が設けられている。また、ドア１から乗りかご内に乗り込んだときの両側に位置する側板３には、一般乗客用かご内操作盤２とは別に、それより低い位置にかご内操作盤４が設けられている。
【００１１】
図４に示すように、乗りかごには、乗り場に対応した位置に開閉可能なドア１が配置され、このドア１を有する側板に一般乗客用かご内操作盤２が設けられている。また、ドア１から乗りかご内に乗り込んだときの両側に位置する側板３には、一般乗客用かご内操作盤２とは別に、それより低い位置にかご内操作盤２０が設けられており、その表面に位置する箱形カバー２１には、行先階登録釦２２、階床表示灯２３、昇降路表示灯２４、ドア開閉釦２５ａ、２５ｂが、従来の場合とほぼ同様に設けられている。箱形カバー２１の裏側には、ボックス１０が側板に形成された開口９に埋設されている。
【００１２】
ボックス開口部の周囲には側板３の手前に配置され、側板３に形成された開口９と同等の大きさの前側ツバ１０ａがある。前側ツバ１０ａの後側には、側板３の厚さよりも大きな隙間を開けた位置に、側板３に形成された開口９と同じ大きさの長方形をある角度回転させた外形よりも同等か、比較的小さい大きさで、側板３に形成された外周部を前側ツバ１０ａと共に挟むことのできる後側ツバ１０ｂを設ける。
【００１３】
この構成によれば、後側ツバ１０ｂを側板３に形成された開口９に差し込み、ボックス１０を回転させることで、前側ツバ１０ａと後側ツバ１０ｂで前記側板３に形成された開口９の外周部を挟むことにより、かご内操作盤のボックス１０を側板３にかご内から容易に装着可能である。
【００１４】
尚、前側ツバ１０ａおよび後側ツバ１０ｂは、側板に形成された開口９の外周部を挟むことができれば、長方形でなくても同様の効果を得ることができる。
【００１５】
また、側板３に形成された開口９の外側となる位置で、前側ツバ１０ａに予め開けてある穴１１ｂと、後側ツバ１０ｂに前記前側ツバ１０ａの穴１１ｂと同位置にねじ穴１１ｃを設ければ、かご内操作盤２０の固定位置で側板３に穴を形成し、かご内からねじ１１ａにて固定することで、ボックス１０を側板３に固定することができる。この構成によれば、将来、かご内操作盤２０を取外す必要のある場合においても、上述のねじ１１ａを外すことにより、ボックス１０を容易に取外すことができる。
【００１６】
本発明の実施形態は上述のように構成したことにより、従来のような側板の裏面からの昇降路内作業がなくなり、作業を安全に、また短時間で容易に装着することができる。
【００１７】
また、固定する際、前側ツバ１０ａと側板３と後側ツバ１０ｂを、後側ツバ１０ｂに設けたねじ穴１１ｃを用いて、乗りかごの内側からねじ１１ａにより固定したので、将来ボックス１０を取外す必要がある場合、容易に取外すことができる。
【００１８】
【発明の効果】
以上述べたように本発明によれば、乗りかごの内側から容易に取付けることかできるエレベーターのかご内操作盤を提供することができる。
【図面の簡単な説明】
【図１】本発明の一実施形態に係るエレベーターのかご内操作盤正面図である。
【図２】エレベーターのかご内操作盤ボックスを示す正面図である。
【図３】図２のＡ−Ａ線断面図である。
【図４】本発明の一実施形態に係る乗りかごの平面図である。
【符号の説明】
１  ドア
２  一般乗客用かご内操作盤
３  側板
４  かご内操作盤
５  かご内操作盤ボックス
６  かご内操作盤カバー
７  取付ブラケット
８  取付ボルト
９  側板に形成した開口
１０  かご内操作盤ボックス
１０ａ  前側ツバ
１０ｂ  後側ツバ
１１ａ  取付ねじ
１１ｂ  前側ツバ部取付穴
１１ｃ  後側ツバ部取付穴
２０  かご内操作盤
２１  かご内操作盤カバー
２２  行先階登録釦
２３  階床表示灯
２４  昇降表示灯
２５ａ  ドア開釦
２５ｂ  ドア閉釦
【図１】
2004338859.tif 000003
【図２】
2004338859.tif 000004
【図３】
2004338859.tif 000005
【図４】
2004338859.tif 000006